(57)【要約】【課題】二次チャネルを使用してＩＰアドレスを通信し、ポイント・ツー・ポイント通信を行う。【解決手段】第１装置は、二次通信チャネルを使用して、そのパブリックＩＰアドレスを第２装置に送出し、パブリックコンピュータネットワークのような一次通信チャネルを介してポイント・ツー・ポイント通信を設定する。二次チャネルとは、公衆交換電話ネットワーク、セルラーネットワークの回路交換ボイスチャネル、セルラーネットワークのパケット交換ボイスチャネル、従来のＶｏＩＰサービス、セルラーネットワークのテキスト又はマルチメディアチャネル、ケーブルテレビ又は衛星テレビネットワークのデータチャネル、或いは無線周波数チャネルである。パブリックコンピュータネットワークを介して接続が確立されると、第１及び第２の装置は、テキスト、ボイス、ビデオ又は他のデータを搬送するデータパケットを交換する。【選択図】図１Ａ
2008167444.tif 000002
【特許請求の範囲】
【請求項１】
パブリックコンピュータネットワークを介して第１装置と第２装置との間でポイント・ツー・ポイント通信するために二次通信チャネルを使用してパブリックコンピュータネットワークアドレスを交換するための方法であって、
前記二次通信チャネルを介して前記第１装置と前記第２装置との間で前記パブリックコンピュータネットワークアドレスを通信する段階と、
前記パブリックコンピュータネットワークアドレスを使用して前記パブリックコンピュータネットワークを介して前記第１装置と前記第２装置との間にネットワーク接続を確立する段階と、
前記パブリックコンピュータネットワークを介して前記第１装置と前記第２装置との間でデータパケットを交換する段階と、
を含むことを特徴とする方法。
【請求項２】
前記二次チャネルが、セルラーネットワークの回路交換ボイスチャネル及びセルラーネットワークのパケット交換ボイスチャネルより成るグループから選択される、請求項１に記載の方法。
【請求項３】
前記パブリックコンピュータネットワークアドレスを通信する段階が、
前記第１装置が前記二次チャネルを介して前記第２装置にコールすることと、
前記第１装置が前記パブリックコンピュータネットワークアドレスを表わすタッチトーンを前記第２装置に送出することと、
を含む、請求項２に記載の方法。
【請求項４】
前記二次チャネルが、セルラーネットワークのテキストチャネル及びセルラーネットワークのマルチメディアチャネルより成るグループから選択される、請求項１に記載の方法。
【請求項５】
前記パブリックコンピュータネットワークアドレスを通信する段階が、前記第１装置が前記第２装置に関連した電話番号にメッセージを送出することを含み、
該メッセージが、前記パブリックコンピュータネットワークアドレスを含み、
前記第２装置が、前記メッセージから前記パブリックコンピュータネットワークアドレスをパーズする、請求項４に記載の方法。
【請求項６】
前記二次チャネルが、ボイスオーバーインターネットプロトコルサービスである、請求項１に記載の方法。
【請求項７】
前記パブリックコンピュータネットワークアドレスを通信する段階が、
前記第１装置が前記二次チャネルを介して前記第２装置にコールすることと、
前記第１装置が前記パブリックコンピュータネットワークアドレスを表わすタッチトーンを前記第２装置に送出することと、
を含む、請求項６に記載の方法。
【請求項８】
前記二次チャネルが、ケーブルテレビジョンネットワークのデータチャネル及び衛星ネットワークのデータチャネルより成るグループから選択される、請求項１に記載の方法。
【請求項９】
前記パブリックコンピュータネットワークアドレスを通信する段階は、前記第１装置が前記第２装置にデータパケットを送出することを含み、
該データパケットが前記パブリックコンピュータネットワークアドレスを含み、
前記第２装置が、前記データパケットから前記パブリックコンピュータネットワークアドレスをパーズする、請求項８に記載の方法。
【請求項１０】
前記二次チャンネルが無線周波数チャネルにおけるデータチャネルである、請求項１に記載の方法。
【請求項１１】
前記パブリックコンピュータネットワークアドレスを通信する段階の前に、
複数のピア装置に対して無線周波数をスキャンする段階と、
該複数のピア装置から前記第２装置を決定する段階と、
をさらに含む、請求項１０に記載の方法。
【請求項１２】
前記パブリックコンピュータネットワークアドレスを通信する段階は、前記第１装置が前記第２装置にデータパケットを送出することを含み、
該データパケットが、前記パブリックコンピュータネットワークアドレスを含み、
前記第２装置が、前記データパケットから前記パブリックコンピュータネットワークアドレスをパーズする、請求項１０に記載の方法。
【発明の詳細な説明】
【技術分野】
【０００１】
本発明は、二次チャネルを使用してＩＰアドレスを通信しポイント・ツー・ポイント通信を行うことに係る。
【０００２】
関連出願へのクロスリファレンス：本出願は、共通に譲渡されて参考としてここに援用する２００５年１１月１５日出願の“Using PSTN to Communicate IP Address for Point-to-Point Text, Voice, Video, or Data Communication”と題する米国特許出願第１１／２８０，６８８号（代理人ドケットＮｏ．ＡＲＣ−Ｐ１５２）の一部継続出願である。
【０００３】
更に、本出願は、（１）“Point-to-Point Communication Using UPnP Protocol”と題する米国特許出願（代理人ドケットＮｏ．ＡＲＣ−Ｐ１６１）、（２）“Network Communication Equipment With PPPoE Bridging Function”と題する米国特許出願（代理人ドケットＮｏ．ＡＲＣ−Ｐ１６２）、（３）“Determining Pairings of Telephone Numbers and IP Addresses from Caching and Peer-to-Peer Lookup”と題する米国特許出願（代理人ドケットＮｏ．ＡＲＣ−Ｐ１６３）、及び（４）“Regional Service by Phone”と題する米国特許出願（代理人ドケットＮｏ．ＡＲＣ−Ｐ１６４）にも係り、これらは、同時に出願され、共通に譲渡され、参考としてここに援用するものである。
【背景技術】
【０００４】
従来のボイスオーバーインターネットプロトコル（ＩＰ）通信システムは、集中ディレクトリーを使用して、パブリックコンピュータネットワーク（例えば、インターネット）を経てＶｏＩＰ装置間に接続を確立する。集中ディレクトリーは、スタティックユーザ名及びアイデンティティを、変化し勝ちなＩＰアドレスに関連付ける。ＩＰアドレスの変化は、ユーザが場所を移したり、ダイナミックＩＰアドレスでネットワークに再接続したりするときに、起こり得る。集中ディレクトリーは、各ユーザ名及びＩＰアドレスをログし、ユーザがオンラインであるかどうか追跡する。第１のＶｏＩＰ装置における第１ユーザが第２のＶｏＩＰ装置における第２ユーザとの通信を希望するときには、第１ユーザが集中ディレクトリーから第２ユーザのＩＰアドレスを要求し、次いで、そのＩＰアドレスを使用して、インターネットを経て第２ユーザとの接続を確立する。
【発明の開示】
【発明が解決しようとする課題】
【０００５】
集中ディレクトリーは、ユーザの基盤が数百万へと拡大すると、コストのかかるものになる。更に、多くの慣習的電話ユーザは、コンピュータにログインするよりも、電話番号をダイヤルする方が快適である。したがって、集中ディレクトリーをもたず、慣習的電話ユーザにより馴染みのあるＩＰ通信システムが要望される。
【課題を解決するための手段】
【０００６】
本発明の一実施形態において、第１装置は、二次通信チャネルを使用して、そのパブリックＩＰアドレスを第２装置に送出し、パブリックコンピュータネットワークのような一次通信チャネルを経てポイント・ツー・ポイント通信を設定する。二次チャネルとは、公衆交換電話ネットワーク、セルラーネットワークの回路交換ボイスチャネル、セルラーネットワークのパケット交換ボイスチャネル、従来のＶｏＩＰサービス、セルラーネットワークのテキスト又はマルチメディアチャネル、ケーブルテレビ又は衛星テレビネットワークのデータチャネル、或いは無線周波数チャネルである。パブリックコンピュータネットワークを経て接続が確立されると、第１及び第２の装置は、テキスト、ボイス、ビデオ、又は他のデータを搬送するデータパケットを交換する。
【発明を実施するための最良の形態】
【０００７】
２００５年１１月１５日に出願された“Using PSTN to Communicate IP Address for Point-to-Point Text, Voice, Video, or Data Communication”と題する米国特許出願第１１／２８０，６８８号は、公衆交換電話ネットワーク（ＰＳＴＮ）を使用して、パブリックコンピュータネットワーク（例えば、インターネット）を経て２つの装置間でポイント・ツー・ポイント通信のためにインターネットプロトコル（ＩＰ）アドレスを交換する方法を開示している。一例において、第１のＩＰ装置は、パブリックコンピュータネットワークを経てネットワーク接続を設定するために、ＰＳＴＮを使用してそのＩＰアドレスを第２のＩＰ装置に送信する。次いで、第２のＩＰ装置は、そのＩＰアドレスを使用して、パブリックコンピュータネットワークを経て第１のＩＰ装置へネットワーク接続要求を送信する。ネットワーク接続が確立されると、これらＩＰ装置は、テキスト、ボイス、ビデオ、又はデータ通信を搬送するデータパケットをそれらのユーザ間で交換する。ＰＳＴＮに加えて、ＩＰ装置がそれらのＩＰアドレスを交換するための他の通信チャネルも、本出願で説明する。
【０００８】
種々の図面を通じて同じ参照番号で同様の又は同じ要素を示した添付図面を参照して詳細に説明する。図１Ａは、本発明の一実施形態において、ボイスオーバーインターネットプロトコル（ＶｏＩＰ）電話ゲートウェイ装置１０４と１０６との間にポイント・ツー・ポイント通信を確立するためのシステム１００を示す。ＶｏＩＰ電話ゲートウェイ１０４及び１０６は、参考としてここに援用する（１）“Point-to-Point Communication Using UPnP Protocol”と題する米国特許出願（代理人ドケットＮｏ．ＡＲＣ−Ｐ１６１）、（２）“Network Communication Equipment With PPPoE Bridging Function”と題する米国特許出願（代理人ドケットＮｏ．ＡＲＣ−Ｐ１６２）、（３）“Determining Pairings of Telephone Numbers and IP Addresses from Caching and Peer-to-Peer Lookup”と題する米国特許出願（代理人ドケットＮｏ．ＡＲＣ−Ｐ１６３）、及び（４）“Regional Service by Phone”と題する米国特許出願（代理人ドケットＮｏ．ＡＲＣ−Ｐ１６４）に説明されたＶｏＩＰ電話ゲートウェイのいずれかである。
【０００９】
ＶｏＩＰ電話ゲートウェイ１０４及び１０６は、ポイント・ツー・ポイント通信のために一次通信チャンネル１０８により接続される。一次通信チャンネル１０８は、ＶｏＩＰ電話ゲートウェイ１０４及び１０６がネットワーク接続を経てデータパケットを交換するのを許すインターネットのようなパブリックワイドエリアネットワーク（ＷＡＮ）である。ある構成においては、ＶｏＩＰ電話ゲートウェイ１０４は、ローカルエリアネットワーク（ＬＡＮ）１１２によりＷＡＮ１０８に接続される。また、ある構成においては、ＶｏＩＰ電話ゲートウェイ１０６は、モデムによりＷＡＮ１０８に接続され、ＬＡＮ１１４は、ＶｏＩＰ電話ゲートウェイ１０６によりＷＡＮ１０８にアクセスするように接続される。ＶｏＩＰ電話ゲートウェイ１０４及び１０６は、二次通信チャンネル１１６により接続され、ＷＡＮ１０８を経てネットワーク接続を確立するためにパブリックＩＰアドレスを交換する。二次通信チャンネル１１６の種々の他の実施形態は、以下で説明する。
【００１０】
一実施形態では、二次通信チャネル１１６は、移動通信用グローバルシステム（ＧＳＭ）セルラーネットワーク、又はコード分割多重アクセス（ＣＤＭＡ）セルラーネットワークのような第二世代移動電話ネットワークにおける回路交換音声チャネルである。
【００１１】
一実施形態では、二次通信チャネル１１６は、ワイドバンドコード分割多重アクセス（ＷＣＤＭＡ）セルラーネットワーク、ＣＤＭＡ２０００セルラーネットワーク、或いは時分割、コード分割多重アクセス（ＴＤ−ＣＤＭＡ）セルラーネットワークのあるバージョンのような第三世代移動電話ネットワークにおける回路交換ボイスチャネルである。その１つの特定例は、回路交換を使用したボイスチャネルであるＷＣＤＭＡ  Ｒ９９である。
【００１２】
一実施形態では、二次通信チャネル１１６は、ＷＣＤＭＡセルラーネットワーク、ＣＤＭＡ２０００セルラーネットワーク、又はＴＤ−ＣＤＭＡセルラーネットワークのあるバージョンのような第三世代移動電話ネットワークにおけるパケット交換ボイスチャネルである。その１つの特定例は、パケット交換を使用したボイスチャネルであるＷＣＤＭＡ  Ｒ６である。
【００１３】
一実施形態では、二次通信チャネル１１６は、中央ディレクトリーを使用してＷＡＮ１０８を経て２つの装置を接続する従来のＶｏＩＰシステムである。換言すれば、ＶｏＩＰ電話ゲートウェイ１０４及び１０６は、従来のＶｏＩＰサービスを使用して通信を行うことができる。
【００１４】
一実施形態では、二次通信チャンネル１１６は、セルラーネットワークにおけるショートメッセージサービス（ＳＭＳ）又はマルチメディアメッセージングサービス（ＭＭＳ）のようなテキスト又はマルチメディアチャネルである。
【００１５】
一実施形態では、二次通信チャネル１１６は、ケーブルテレビジョンネットワークのデジタルビデオチャネル、衛星ネットワークの衛星通信チャネル、又はワイヤレスデータチャネルのようなデータチャネルである。ワイヤレスデータチャネルは、ブルーツースチャネル又は他の同様のＲＦチャンネルのような無線周波数（ＲＦ）チャネルでよい。
【００１６】
図１Ｂは、本発明の一実施形態におけるＶｏＩＰ電話ゲートウェイ１０４を示す。ＶｏＩＰ電話ゲートウェイ１０６は、ＶｏＩＰ電話ゲートウェイ１０４と同様に実施される。ＶｏＩＰ電話ゲートウェイ１０４は、電話又はビデオフォンのフォームファクタを有する。ＶｏＩＰ電話ゲートウェイ１０４は、不揮発性メモリ１２４から揮発性メモリ１２６へロードされるＩＰ通信ソフトウェアを実行する中央処理ユニット（ＣＰＵ）又はデジタル信号プロセッサ（ＤＳＰ）１２２を備えている。ＣＰＵ１２２は、ブロードバンドインターフェイス装置１２８を使用して、ケーブル、ｘＤＳＬ（デジタル加入者ライン）、又はセルラーネットワークによりＷＡＮ１０８に直接アクセスすることができる。ブロードバンドインターフェイスカード１２８は、ケーブルモデム、ｘＤＳＬモデム、又はセルラーネットワーク用のワイヤレスアクセスカードでよい。また、ＣＰＵ１２２は、ネットワークインターフェイスカード１３０を使用し、ＬＡＮ１１２を経てＷＡＮ１０８にアクセスすることもできる。ネットワークインターフェイスカード１３０は、ワイヤード又はワイヤレスインターフェイスカード（例えば、イーサネット（登録商標）又はＷｉ−Ｆｉネットワーク用）でもよい。テキスト、ボイス及びビデオ通信に対して、ＣＰＵ１２２は、更に、ディスプレイ１３４、キーパッド又はキーボード１３６、マイクロホン及びスピーカ１３８、並びにカメラ１４０を含む周辺機器に接続することもできる。ある実施形態では、ＣＰＵ１２２は、二次チャンネルインターフェイス１３２を使用して、二次通信チャネル１１６にアクセスすることができる。これらの実施形態では、二次チャネルインターフェイス１３２は、セルラーネットワークにアクセスするためのセルラー電話トランシーバー、ケーブルセットトップボックスを経てケーブルテレビジョンネットワークにアクセスするためのケーブルセットトップボックスインターフェイス、衛星セットトップボックスを経て衛星ネットワークにアクセスするための衛星セットトップボックスインターフェイス、或いはＲＦチャンネルにアクセスするためのＲＦトランシーバーでよい。
【００１７】
図２は、本発明の実施形態においてボイスチャンネル１１６を使用してＷＡＮ１０８を経ての通信を設定するための方法２００のフローチャートである。ボイスチャネル１１６は、上述した回路交換、パケット交換、及び従来のＶｏＩＰボイスチャネルのいずれでもよい。方法２００を説明するために、発呼者は、ＶｏＩＰ電話ゲートウェイ１０４を使用して、ＶｏＩＰ電話ゲートウェイ１０６を使用する受信者にコールすると仮定する。
【００１８】
ステップ２０２Ａ及び２０２Ｂにおいて、ＶｏＩＰ電話ゲートウェイ１０４及び１０６は、ボイスチャネル１１６を経て二次接続を確立する。より詳細には、ＶｏＩＰ電話ゲートウェイ１０４の発呼者は、ＶｏＩＰ電話ゲートウェイ１０６の受信者に関連した電話番号をダイヤルして、ボイスチャネル１１６を経て二次接続を確立する。上述したように、ボイスチャネル１１６は、上述した回路交換、パケット交換及び従来のＶｏＩＰボイスチャネルのいずれでもよい。実施されるボイスチャネルに基づき、ＶｏＩＰ電話ゲートウェイ１０４及び１０６の適当な二次チャネルインターフェイス１３２が二次チャンネル１１６を経て接続を与える。従来のＶｏＩＰボイスチャネルの場合、ＶｏＩＰ電話ゲートウェイ１０４及び１０６は、ブロードバンドインターフェイス装置１２８又はネットワークインターフェイスカード１３０を使用して、ＷＡＮ１０８を経てＶｏＩＰボイスチャネルを確立する。
【００１９】
ステップ２０４Ａ及び２０４Ｂにおいて、ＶｏＩＰ電話ゲートウェイ１０４及び１０６は、ボイスチャネル１１６を経て少なくとも１つのパブリックＩＰアドレスを交換する。パブリックＩＰアドレスは、ＶｏＩＰ電話ゲートウェイ１０４と１０６との間の一連の標準タッチトーン又は他の形式のモデムシグナリングで表わすことができる。ボイスチャネル１１６が許す場合には、パブリックＩＰアドレスは、電話のリンギングとリンギングとの間のモデムシグナリングで表わすことができる。
【００２０】
一実施形態において、ＶｏＩＰ電話ゲートウェイ１０４及び１０６は、ボイスチャネル１１６を経てそれらのパブリックＩＰアドレスを交換する。別の実施形態では、ＶｏＩＰ電話ゲートウェイ１０４は、そのパブリックＩＰアドレスを、ボイスチャネル１１６を経てＶｏＩＰ電話ゲートウェイ１０６に送出し、その後、ＷＡＮ１０８を経てデータパケットにおいてＶｏＩＰ電話ゲートウェイ１０６のパブリックＩＰアドレスを受け取る。別の実施形態では、ＶｏＩＰ電話ゲートウェイ１０４は、ボイスチャネル１１６を経てＶｏＩＰ電話ゲートウェイ１０６のパブリックＩＰアドレスを受け取り、その後、そのパブリックＩＰアドレスをデータパケットにおいてＷＡＮ１０８を経てＶｏＩＰ電話ゲートウェイ１０６に送出する。
【００２１】
ステップ２０６Ａ及び２０６Ｂにおいて、ＶｏＩＰ電話ゲートウェイ１０４及び１０６は、ボイスチャネル１１６を経ての二次接続を切断する。
【００２２】
ステップ２０８Ａ及び２０８Ｂにおいて、ＶｏＩＰ電話ゲートウェイ１０４及び１０６は、それらのパブリックＩＰアドレスを使用して、ＷＡＮ１０８を経て一次接続を確立する。
【００２３】
ステップ２１０Ａ及び２１０Ｂにおいて、ＶｏＩＰ電話ゲートウェイ１０４及び１０６は、ＷＡＮ１０８を経て、ボイス、データ、テキスト、ビデオ、又は他のデータを搬送するデータパケットを交換する。
【００２４】
ステップ２１２Ａ及び２１２Ｂにおいて、ＶｏＩＰ電話ゲートウェイ１０４及び１０６は、ＷＡＮ１０８を経ての一次接続を切断する。
【００２５】
図３は、本発明の実施形態においてセルラーネットワークのテキスト又はマルチメディアチャンネル１１６を使用してＷＡＮ１０８を経ての通信を設定するための方法３００のフローチャートである。方法３００を説明するために、発呼者は、ＶｏＩＰ電話ゲートウェイ１０４を使用して、ＶｏＩＰ電話ゲートウェイ１０６を使用する受信者にコールすると仮定する。
【００２６】
ステップ３０２Ａにおいて、ＶｏＩＰ電話ゲートウェイ１０４は、テキスト／マルチメディアチャンネル１１６を経てＶｏＩＰ電話ゲートウェイ１０６へテキスト又はマルチメディアメッセージを送出する。より詳細には、ＶｏＩＰ電話ゲートウェイ１０４の発呼者が、ＶｏＩＰ電話ゲートウェイ１０６の受信者に関連した電話番号をダイヤルし、ＶｏＩＰ電話ゲートウェイ１０４がＶｏＩＰ電話ゲートウェイ１０６の電話番号へテキスト／マルチメディアメッセージを送出する。テキスト／マルチメディアメッセージは、ＶｏＩＰ電話ゲートウェイ１０４のパブリックＩＰアドレスを含む。テキスト／マルチメディアメッセージは、更に、ＶｏＩＰ電話ゲートウェイ１０４に関連した電話番号も含む。
【００２７】
ステップ３０２Ｂにおいて、ＶｏＩＰ電話ゲートウェイ１０６は、テキスト／マルチメディアメッセージを受け取り、そのテキスト／マルチメディアメッセージからＶｏＩＰ電話ゲートウェイ１０４のパブリックＩＰアドレス及び任意の電話番号をパーズする。
【００２８】
任意のステップ３０４Ｂにおいて、ＶｏＩＰ電話ゲートウェイ１０６は、テキスト／マルチメディアチャネル１１６を経てＶｏＩＰ電話ゲートウェイ１０４へテキスト／マルチメディアメッセージを送出する。より詳細には、ＶｏＩＰ電話ゲートウェイ１０６が、ＶｏＩＰ電話ゲートウェイ１０４の電話番号へテキスト／マルチメディアメッセージを送出する。テキスト／マルチメディアメッセージは、ＶｏＩＰ電話ゲートウェイ１０６のパブリックＩＰアドレスを含む。
【００２９】
任意のステップ３０４Ａにおいて、ＶｏＩＰ電話ゲートウェイ１０４は、テキスト／マルチメディアメッセージを受け取り、そのテキスト／マルチメディアメッセージからＶｏＩＰ電話ゲートウェイ１０６のパブリックＩＰアドレスをパーズする。
【００３０】
ステップ２０８Ａ及び２０８Ｂにおいて、ＶｏＩＰ電話ゲートウェイ１０４及び１０６は、それらのパブリックＩＰアドレスを使用してＷＡＮ１０８を経ての一次接続を確立する。
【００３１】
ステップ２１０Ａ及び２１０Ｂにおいて、ＶｏＩＰ電話ゲートウェイ１０４及び１０６は、ＷＡＮ１０８を経て、ボイス、データ、テキスト、ビデオ又は他のデータを搬送するデータパケットを交換する。
【００３２】
ステップ２１２Ａ及び２１２Ｂにおいて、ＶｏＩＰ電話ゲートウェイ１０４及び１０６は、ＷＡＮ１０８を経ての一次接続を切断する。
【００３３】
図４は、本発明の実施形態においてケーブルテレビジョンネットワーク、衛星ネットワーク又はデータワイヤレスネットワークのデータチャネル１１６を使用してＷＡＮ１０８を経ての通信を設定する方法４００のフローチャートである。この方法を説明するために、発呼者は、ＶｏＩＰ電話ゲートウェイ１０４を使用して、ＶｏＩＰ電話ゲートウェイ１０６を使用する受信者にコールすると仮定する。
【００３４】
任意のステップ４０２Ａにおいて、データチャネル１１６がＲＦチャネルであり、ＶｏＩＰ電話ゲートウェイ１０４及び１０６がＲＦトランシーバーを有する場合に、ＶｏＩＰ電話ゲートウェイ１０４は、ＲＦ周波数をスキャンして、ＶｏＩＰ電話ゲートウェイ１０６を探索する。より詳細には、ＶｏＩＰ電話ゲートウェイ１０４は、その位置の全てのピア装置についてＲＦ周波数をサーチし、ピア装置から識別情報を求める。それに応答して、ピア装置は、識別情報をテキストで与えるか（例えば、それらのユーザ名又は関連電話番号を与えることにより）、又はそれをボイスで与え（例えば、ユーザがＲＦコールに応答することにより）、したがって、ＶｏＩＰ電話ゲートウェイ１０４の発呼者は、どちらのピア装置との通信を更に続けるべきか判断することができる。
【００３５】
ステップ４０４Ａにおいて、ＶｏＩＰ電話ゲートウェイ１０４は、そのパブリックＩＰアドレスを伴うデータパケットを、データチャネル１１６を経てＶｏＩＰ電話ゲートウェイ１０６に送出する。データチャネル１１６がケーブルテレビジョンネットワーク又は衛星ネットワークである場合に、ＶｏＩＰ電話ゲートウェイ１０４は、接続されたセットトップボックスを通り、ケーブルテレビジョン又は衛星ネットワークを経て、ＶｏＩＰ電話ゲートウェイ１０６に接続された別のセットトップボックスへデータパケットを送出する。ＶｏＩＰ電話ゲートウェイ１０４及び１０６に接続されたセットトップボックスは、ケーブルテレビジョン又は衛星ネットワークを経ての通信において互いに識別するためのＩＤを指定することができる。データチャネル１１６がＲＦチャネルである場合には、ＶｏＩＰ電話ゲートウェイ１０４は、ＶｏＩＰ電話ゲートウェイ１０６のＲＦ周波数を使用してデータパケットを送信する。
【００３６】
ステップ４０４Ｂにおいて、ＶｏＩＰ電話ゲートウェイ１０６は、データパケットを受け取り、そのデータパケットからパブリックＩＰアドレスをパーズする。
【００３７】
任意のステップ４０６Ｂにおいて、ＶｏＩＰ電話ゲートウェイ１０６は、そのパブリックＩＰアドレスを伴うデータパケットを、データチャネル１１６を経てＶｏＩＰ電話ゲートウェイ１０４に送出する。
【００３８】
任意のステップ４０６Ｂにおいて、ＶｏＩＰ電話ゲートウェイ１０４は、データパケットを受け取り、そのデータパケットからＶｏＩＰ電話ゲートウェイ１０６のパブリックＩＰアドレスをパーズする。
【００３９】
ステップ２０８Ａ及び２０８Ｂにおいて、ＶｏＩＰ電話ゲートウェイ１０４及び１０６は、それらのパブリックＩＰアドレスを使用してＷＡＮ１０８を経ての一次接続を確立する。
【００４０】
ステップ２１０Ａ及び２１０Ｂにおいて、ＶｏＩＰ電話ゲートウェイ１０４及び１０６は、ＷＡＮ１０８を経て、ボイス、データ、テキスト、ビデオ又は他のデータを搬送するデータパケットを交換する。
【００４１】
ステップ２１２Ａ及び２１２Ｂにおいて、ＶｏＩＰ電話ゲートウェイ１０４及び１０６は、ＷＡＮ１０８を経ての一次接続を切断する。
【００４２】
ここに開示した実施形態の特徴の種々の他の適応及び組み合せが本発明の範囲内で考えられる。多数の実施形態が特許請求の範囲に包含される。
【図面の簡単な説明】
【００４３】
【図１Ａ】本発明の一実施形態において二次通信チャネルを使用してＶｏＩＰ電話ゲートウェイ装置間で一次通信チャネルを経て通信を設定するためのシステムを示す図である。
【図１Ｂ】本発明の一実施形態において図１ＡのシステムのＶｏＩＰ電話ゲートウェイ装置を示す図である。
【図２】本発明の実施形態において二次通信チャネルを使用し一次通信チャネルを経て通信を設定する方法のフローチャートである。
【図３】本発明の実施形態において二次通信チャネルを使用し一次通信チャネルを経て通信を設定する方法のフローチャートである。
【図４】本発明の実施形態において二次通信チャネルを使用し一次通信チャネルを経て通信を設定する方法のフローチャートである。
【符号の説明】
【００４４】
１００：システム
１０４、１０６：ＶｏＩＰ電話ゲートウェイ
１０８：一次通信チャネル（ＷＡＮ）
１１６：二次通信チャンネル
１２２：ＣＰＵ／ＤＳＰ
１２４：不揮発性メモリ
１２６：揮発性メモリ
１２８：ブロードバンドインターフェイスカード
１３０：ネットワークインターフェイスカード
１３２：二次チャンネルインターフェイス
１３４：ディスプレイ
１３６：キーボード
１３８：マイクロホン及びスピーカ
１４０：カメラ
【図１Ａ】
2008167444.tif 000003
【図１Ｂ】
2008167444.tif 000004
【図２】
2008167444.tif 000005
【図３】
2008167444.tif 000006
【図４】
2008167444.tif 000007